(57)【要約】      （修正有）【課題】蓄電装置に対して効率的に充電を行い、蓄電装置から効率的に放電を行う冷却装置および制御方法を提供する。【解決手段】冷却装置は、第１の電源２１と、充電可能な蓄電装置である第２の電源２５を備え、庫内の温度が下降をし始めるタイミングの近傍で、電源を前記第１の電源から前記第２の電源に切り替える電源切替制御部２６とを備える。また、庫内を開閉するドアを備え、前記ドアが閉められたタイミングの近傍で、電源を前記第１の電源から前記第２の電源に切り替える電源切替制御部とを備える。【選択図】図３
2012220144.tif 000002
【特許請求の範囲】
【請求項１】
第１の電源と、
第２の電源と、
庫内の温度が下降をし始めるタイミングの近傍で、電源を前記第１の電源から前記第２の電源に切り替える電源切替制御部とを備える冷却装置。
【請求項２】
前記電源切替制御部は、所定時間が経過した後に前記電源を前記第２の電源から前記第１の電源に切り替える請求項１に記載の冷却装置。
【請求項３】
第１の電源と、
第２の電源と、
庫内を開閉するドアと、
前記ドアが閉められたタイミングの近傍で、電源を前記第１の電源から前記第２の電源に切り替える電源切替制御部とを備える冷却装置。
【請求項４】
前記電源切替制御部は、前記ドアが閉められたタイミングで、前記電源を前記第１の電源から前記第２の電源に切り替える請求項３に記載の冷却装置。
【請求項５】
前記電源切替制御部は、前記ドアが閉められてから前記庫内温度が下降し始めたタイミングで、前記電源を前記第１の電源から前記第２の電源に切り替える請求項３に記載の冷却装置。
【請求項６】
前記電源切替制御部は、前記ドアが開かれたことによって前記庫内の温度が所定温度以上、上昇した場合に、前記ドアが閉められたタイミングの近傍で、前記電源を前記第１の電源から前記第２の電源に切り替える請求項３に記載の冷却装置。
【請求項７】
前記電源切替制御部は、所定時間が経過した後に前記電源を前記第２の電源から前記第１の電源に切り替える請求項３に記載の冷却装置。
【請求項８】
前記第２の電源が充電可能な蓄電装置であり、前記電源切替制御部によって前記蓄電装置に対する充電が制御される請求項３に記載の冷却装置。
【請求項９】
第１の電源と、
第２の電源と、
庫内の温度が下降をし始めるタイミングの近傍で、電源を前記第１の電源から前記第２の電源に切り替える冷却装置における制御方法。
【発明の詳細な説明】
【技術分野】
【０００１】
本開示は、冷蔵庫等の冷却装置および制御方法に関する。
【背景技術】
【０００２】
バッテリーに代表される蓄電装置は、様々な電子機器に使用されている。電子機器に対して多く使用されているバッテリーの一つとして、リチウムイオン電池が挙げられる。リチウムイオン電池は、充電により繰り返して使用できる、高電圧を出力できる等の特長により幅広く使用されている。近年は、より高出力、高容量という機器の要求に対応するため、複数のセルを多直列や多並列接続して、組電池の形態で使用されることも増えてきている。
【０００３】
リチウムイオン電池は、例えば、携帯電話やデジタルスチルカメラ、携帯ゲーム機、ノート型パーソナルコンピュータなどのパーソナル機器に対して使用されている。バッテリーは、パーソナル機器に限らず、電動アシスト機能を有する自転車や電気自動車、冷蔵庫などにも使用されている。下記特許文献１および特許文献２には、リチウムイオン電池などの蓄電池が使用された冷蔵庫が記載されている。
【先行技術文献】
【特許文献】
【０００４】
【特許文献１】特開平１０−１６４６８５号公報
【特許文献２】特開２００８−０２０１２１号公報
【発明の概要】
【発明が解決しようとする課題】
【０００５】
夜間に蓄電池に対して充電を行い、冷蔵庫で日中に消費される電力を、充電した蓄電池によってまかなうには、多くの蓄電池が必要となる。多くの蓄電池が必要となるため、冷蔵庫の収納のスペースが狭くなり、また、コスト面でも不利になる。さらに、機器において使用される電力量に関係なく蓄電装置から放電されており、蓄電装置を効率的に使用できていなかった。
【０００６】
したがって、本開示の目的の一つは、蓄電装置に対して効率的に充電を行い、蓄電装置から効率的に放電を行う冷却装置および制御方法を提供することにある。
【課題を解決するための手段】
【０００７】
上述した課題を解決するために、本開示の冷却装置は、例えば、
第１の電源と、
第２の電源と、
庫内の温度が下降をし始めるタイミングの近傍で、電源を第１の電源から第２の電源に切り替える電源切替制御部とを備える冷却装置である。
【０００８】
本開示の冷却装置は、例えば、
第１の電源と、
第２の電源と、
庫内を開閉するドアと、
ドアが閉じられたタイミングの近傍で、電源を第１の電源から第２の電源に切り替える電源切替制御部とを備える冷却装置である。
【０００９】
本開示の制御方法は、例えば、
第１の電源と、
第２の電源と、
庫内の温度が下降をし始めるタイミングの近傍で、電源を第１の電源から第２の電源に切り替える冷却装置における制御方法である。
【発明の効果】
【００１０】
少なくとも一つの実施形態によれば、例えば、蓄電装置が使用される機器において、効率的に蓄電装置を使用することができる。
【図面の簡単な説明】
【００１１】
【図１】一実施形態における冷蔵庫の外観の一例を示す略線図である。
【図２】一実施形態における冷却システムの一例を示す略線図である。
【図３】一実施形態における冷蔵庫の構成例を示すブロック図である。
【図４】電源切替制御回路の構成例を示す略線図である。
【図５】一実施形態における冷蔵庫の庫内の温度変化の一例を説明するための略線図である。
【図６】時間帯による電力料金の相違の一例を説明するための略線図である。
【図７】一実施形態における冷蔵庫の処理の流れの一例を示すフローチャートである。
【図８】冷蔵庫の変形例を示すブロック図である。
【図９】電源切替制御回路の変形例を示す略線図である。
【図１０】冷蔵庫の処理の流れの変形例を示すフローチャートである。
【発明を実施するための形態】
【００１２】
以下、本開示の実施の形態について図面を参照しながら説明する。なお、説明は、以下の順序で行う。
＜１．一実施形態＞
＜２．変形例＞
なお、以下に説明する実施形態および変形例は、本開示の好適な具体例であり、これらの実施形態および変形例に限定されないものとする。
【００１３】
＜１．一実施形態＞
「冷蔵庫の外観」
図１は、本開示における冷却装置の一例である冷蔵庫１００の外観を示す。冷蔵庫１００は、ほぼ直方体とされる筺体２を備える。筺体２は、例えば、垂直方向に三段に区画されており、それぞれの内部空間には、庫内の一例として冷蔵室、野菜室、冷凍室が形成されている。例えば、上段には冷蔵室、中段には野菜室、下段には冷凍室が形成されている。
【００１４】
冷蔵庫１００には、それぞれの室を開閉するためのドア（扉）が設けられる。例えば、冷蔵室の前面には、回動自在の横開き式のドア３ａが設けられる。野菜室の前面には、引き出し式のドア３ｂが設けられる。冷凍室の前面には、引き出し式のドア３ｃが設けられる。冷蔵室内は、例えば、３枚の仕切り板により複数の段に区分けされている。
【００１５】
図１に示す冷蔵庫１００の外観は一例であり、これに限定されることはない。例えば、ドア３ａは、横開き式でなく観音開き式でもよい。中断が冷凍室とされ、下段が野菜室とされてもよい。野菜室が設けられていなくてもよい。ドア３ａに対して、冷蔵庫１００の各種の設定を行うスイッチやＬＥＤ(Light Emitting Diode)、液晶モニタ等が配設されていてもよい。冷蔵庫１００の使用方法を音声でガイドするためのスピーカが冷蔵庫１００に取り付けられていてもよい。
【００１６】
「冷却システム」
図２は、冷蔵庫１００の冷却システム５の一例を概略的に示す。図２に示す例は、ガス圧縮式と呼ばれる方式に対応している。なお、冷却システムはガス圧縮式に限らず、ガス吸収式や電子式と呼ばれる方式でもよい。
【００１７】
冷却システム５において、冷媒は、コンプレッサ（圧縮機）６によって圧縮されて冷媒ガスへと気化する。そして、冷媒ガスは、コンデンサー（凝縮器）７に供給され、コンデンサー７で放熱しながら液化する。液化した冷媒はドライヤー（乾燥器）８を経てキャビラリチューブ９に供給される。
【００１８】
液化した冷媒は、キャビラリチューブ９によって減圧されて冷却器１０に供給される。そして、冷却器１０で冷媒が気化し、周囲から熱を奪う。冷却された空気が、冷蔵室、野菜室、冷凍室のそれぞれに適した割合で配分され、それぞれの室の温度が設定された温度に調節される。気化した冷媒は、冷却器１０とコンプレッサ６とを接続するパイプを通り、コンプレッサ６に戻る。コンプレッサ６に戻った冷媒は再び圧縮される。冷却システム５では、特に、コンプレッサ６の動作において電力が多く消費される。
【００１９】
「冷蔵庫の構成例」
図３は、一実施形態における冷蔵庫１００の構成例を示す。冷蔵庫１００は、例えば、第１の電源の一例であるＡＣ(Alternate Current)１００Ｖの商用電源２１に接続される。商用電源２１から供給される交流電圧は、ＡＣ／ＤＣ(Direct Current)コンバータ２２に供給される。ＡＣ／ＤＣコンバータ２２は、供給された交流電圧を直流電圧に変換する。変換された直流電圧は、充電回路２３および電源系統切替回路２４に供給される。
【００２０】
充電回路２３は、ＡＣ／ＤＣコンバータ２２から供給された直流電圧をバッテリーモジュール２５に供給し、バッテリーモジュール２５を充電する。なお、家庭に設置される太陽光発電モジュール等の自然エネルギーを使用して、バッテリーモジュール２５が充電されてもよい。充電回路２３は、後述する電源切替制御部２６によってオン／オフが制御される。例えば、充電回路２３は、バッテリーモジュール２５を充電するときにオンされる。
【００２１】
第２の電源の一例であり、蓄電装置の一例であるバッテリーモジュール２５は、例えば、リチウムイオン電池とされる。例えば、リチウムイオン電池の単セルが直列に接続されたものが並列に接続されて、バッテリーモジュール２５が形成される。リチウムイオン電池に限らず、充電可能な他のバッテリーがバッテリーモジュール２５として使用されてもよい。バッテリーモジュール２５は、冷蔵庫１００に内蔵されていてもよく、冷蔵庫１００に対して着脱自在とされていてもよい。
【００２２】
電源系統切替回路２４は、ＡＣ／ＤＣコンバータ２２およびバッテリーモジュール２５から供給される直流電圧のうち、いずれか一方の直流電圧を選択する。ここで、図４を参照して、電源系統切替回路２４の構成の一例について説明する。
【００２３】
図４に示すように、電源系統切替回路２４において、ＡＣ／ＤＣコンバータ２２からの入力側には、スイッチ２４ａおよびダイオード２４ｂが設けられている。スイッチ２４ａは、後述する電源切替制御部２６によって制御される。電源系統切替回路２４において、バッテリーモジュール２５からの入力側には、ダイオード２４ｃが設けられている。
【００２４】
ＡＣ／ＤＣコンバータ２２から供給される直流電圧が使用される場合は、スイッチ２４ａがオンされる。図４に示す例では、ＡＣ／ＤＣコンバータ２２から供給される直流電圧がバッテリーモジュール２５から供給される直流電圧より大きくされている。したがって、スイッチ２４ａがオンするとダイオード２４ｂが導通し、ＡＣ／ＤＣコンバータ２２から供給される直流電圧が選択されることになる。
【００２５】
バッテリーモジュール２５から供給される直流電圧が使用される場合は、スイッチ２４ａがオフされる。スイッチ２４ａがオフされることでダイオード２４ｃが導通し、バッテリーモジュール２５から供給される直流電圧が選択されることになる。
【００２６】
なお、バッテリーモジュール２５からの入力側にスイッチを設け、そのスイッチをオン／オフするようにしてもよい。さらに、ＡＣ／ＤＣコンバータ２２の入力側およびバッテリーモジュール２５からの入力側にスイッチを設け、直流電圧が選択される側のスイッチがオンされるようにしてもよい。
【００２７】
図３に戻り説明する。電源系統切替回路２４によって選択された直流電圧がコンプレッサ用インバータ２７に供給される。図示は省略しているが、電源系統切替回路２４から出力された直流電圧は、コンプレッサ用インバータ２７に限らず、冷蔵庫１００の各部に対して供給されて使用される。例えば、冷蔵庫１００の庫内の照明や、ＬＥＤ、液晶パネルの表示に、電源系統切替回路２４から出力された直流電圧が使用される。
【００２８】
コンプレッサ用インバータ２７は、電源系統切替回路２４から供給された直流電圧を交流電圧に変換する。そして、コンプレッサ用インバータ２７は、変換した交流電圧をコンプレッサ２８に供給する。コンプレッサ用インバータ２７から供給された交流電圧に応じてコンプレッサ２８のモータ回転数が制御されて、コンプレッサ２８が動作する。
【００２９】
制御部２９は、例えば、ＣＰＵ(Central Processing Unit)により構成され、冷蔵庫１００の各部を制御する。制御部２９は、後述する電源切替制御部２６と一体化された構成でもよい。制御部２９は、例えば、コンプレッサ用インバータ２７から出力される交流電圧を制御する。制御部２９は、コンプレッサ用インバータ２７から出力される交流電圧を制御することでコンプレッサ２８のモータ回転数を制御する。制御部２９によりコンプレッサ２８のモータ回転数が制御されることで冷蔵室内、野菜室内、冷蔵室内がそれぞれ設定された温度に制御される。
【００３０】
ドア３ａが閉められた状態では、制御部２９は、冷蔵室内の設定温度に保つための通常の冷却処理を行う。制御部２９は、コンプレッサ用インバータ２７から出力される交流電圧を制御して、コンプレッサ２８のモータ回転数を所定の回転数に制御し、通常の冷却処理を行う。
【００３１】
制御部２９は、通常の冷却処理とは異なる急速冷却処理を行う。急速冷却処理は、例えば、ドア３ａが開放され、開放されたドア３ａが閉められた後に行われる。急速冷却処理は、ドア３ａが開放されたことによって上昇した冷蔵室内の温度を急速に冷却する機能である。急速冷却処理を行うときに制御部２９は、コンプレッサ用インバータ２７から出力される交流電圧が、通常の冷却処理のときに出力される交流電圧より高くなる制御を行う。コンプレッサ用インバータ２７から出力される交流電圧が高くなることで、コンプレッサ２８のモータ回転数が通常の冷却処理時のモータ回転数より大きくなる。コンプレッサ２８が高速回転することで、冷蔵室内が急速に冷却されて設定温度になる。
【００３２】
電源切替制御部２６は、例えば、ＣＰＵにより構成される。電源切替制御部２６は、電源系統切替回路２４を制御する。電源切替制御部２６は、例えば、ＡＣ／ＤＣコンバータ２２およびバッテリーモジュール２５から供給される直流電圧のうち、いずれか一方の直流電圧を選択するように、電源系統切替回路２４を制御する。上述したように、ＡＣ／ＤＣコンバータ２２から供給される直流電圧を選択するときは、スイッチ２４ａをオンするように電源系統切替回路２４を制御する。バッテリーモジュール２５から供給される直流電圧を選択するときは、スイッチ２４ａをオフするように電源系統切替回路２４を制御する。
【００３３】
さらに、電源切替制御部２６は、充電回路２３のオン／オフを制御する。バッテリーモジュール２５を充電するときは、電源切替制御部２６は、充電回路２３をオンする。バッテリーモジュール２５を充電しないときは、電源切替制御部２６は、充電回路２３をオフする。
【００３４】
電源切替制御部２６に対して、冷蔵庫１００の各庫内に設置されたセンサーからセンサー信号が供給される。例えば、冷蔵庫１００の冷蔵室には、ドア開閉センサー３０および庫内温度センサー３１が設置されている。ドア開閉センサー３０は、冷蔵室のドア３ａの開閉を検出し、検出結果に応じたドアセンサー信号を電源切替制御部２６に対して出力する。庫内温度センサー３１は、冷蔵室内の温度を示す温度センサー信号を電源切替制御部２６に対して出力する。なお、冷蔵庫１００の野菜室や冷凍室に、ドア開閉センサーや庫内温度センサーが設置されていてもよい。さらに、ドアセンサー信号や温度センサー信号が制御部２９に対して供給されてもよい。
【００３５】
電源切替制御部２６に対して、タイマー３２からタイマー信号が供給される。例えば、所定のタイミングからタイマー３２が動作し、所定のタイミングからの累積時間に関する情報（カウント値）が電源切替制御部２６に対して供給される。また、電源切替制御部２６に対して、時計部３３から時間情報が供給される。時間情報は、例えば、・・時・・分のような現在時刻に関する情報である。電源切替制御部２６は、タイマー３２から供給されるタイマー信号や時計部３３から供給される現在時刻情報に応じた制御を行う。なお、タイマー３２および時計部３３の機能が、電源切替制御部２６の機能に組み込まれていてもよい。
【００３６】
「庫内温度センサーの出力の一例」
図５は、冷蔵庫１００の庫内温度センサー３１にて計測される温度変化の一例を示す。図５に示す例では、冷蔵室の他に野菜室および冷凍室に庫内温度センサー３１が設置されている。図５における三つの温度変化の推移のうち、実践で示す温度の推移が野菜室における温度変化の推移を示す。一点鎖線で示す温度の推移が冷蔵室における温度変化の推移を示す。二点鎖線で示す温度の推移が冷凍室における温度変化の推移を示す。以下の説明では、冷蔵室の温度変化の推移を例にして説明する。
【００３７】
例えば、１分経過後に冷蔵室のドア３ａが開かれたとする。そして、ドア３ａが開放された状態がほぼ１分継続する。ドア３ａが開放された状態が継続することで、庫内の温度が上昇する。例えば、ドア３ａが開放される前はおよそ４度であった温度が、ドア３ａが開放されることで１０度付近に上昇する。そして、ドア３ａが閉じられる。ドア３ａが閉じられると、冷蔵室の庫内の温度が下降する。なお、一般に冷蔵室は、野菜室や冷蔵室に比べて庫内の容量が大きい。したがって、ドア３ａが閉じられた直後に、ドア３ａが開放されることで冷蔵室内に流入した外気により若干、冷蔵室の庫内の温度が上昇することもある。
【００３８】
ドア３ａが閉じられると、ドア３ａが開放されたことにより上昇した冷蔵室の庫内の温度を下げる急速冷却処理が行われる。例えば、制御部２９によって、コンプレッサ用インバータ２７から出力される交流電圧が高くされ、コンプレッサ２８のモータ回転数を高くする制御が行われる。コンプレッサ２８が高速回転することで、冷蔵室内の温度が急速に低下し、およそ数分程度で設定された温度になる。
【００３９】
このように、冷蔵庫１００のドア３ａの開閉操作がなされると、外気の流入により上昇した温度を下げる急速冷却処理が所定時間、行われる。この急速冷却処理が行われる期間は、コンプレッサ２８が高速回転するため、コンプレッサ２８で使用される電力が大きくなる。急速冷却処理では、さらに、コンプレッサのモータだけでなく、図示しないファンモータが高速回転する場合もあり、使用される電力が大きくなる。そこで、例えば、急速冷却処理が行われる期間で使用される電力を、バッテリーモジュール２５から供給される電力でまかなう。電力効率比率の悪い処理で使用される電力をバッテリーモジュール２５から供給される電力でまかなう。商用電源２１を使用しないため、節電の効果が得られるとともに、電気代を節約することができる。
【００４０】
なお、急速冷却処理が実行されるタイミングは、冷蔵庫の仕様・設計に応じて異なる。急速冷却処理が行われるタイミングは、例えば、ドア３ａが開放され、開放されたドア３ａが閉められたタイミングの近傍である。例えば、ドア３ａが閉められたタイミングや、開放されたドアが閉められてから所定時間（例えば、数秒）経過したタイミングなどとされる。
【００４１】
急速冷却処理によって庫内の温度が低下することから、庫内の温度が下降し始めるタイミングの近傍で、電源を商用電源２１からバッテリーモジュール２５に対して切り替えてもよい。庫内の温度が下降し始めるタイミングの近傍で電源をバッテリーモジュール２５に切り替えることで、バッテリーモジュール２５から供給された直流電圧を使用して、急速冷却処理を行うことができる。
【００４２】
「バッテリーモジュールに対する充電」
ここで、バッテリーモジュール２５に充電するタイミングの一例について説明する。近年、使用電力に対する課金額が時間帯に応じて異なるようにされた料金体系が実施されている。例えば、昼間の使用電力に対する課金額が夜間の使用電力に対する課金額より高く設定される。
【００４３】
図６は、そのような料金体系の一例を示す。図６に示す例では、例えば、昼間の時間帯として午前８時から午後１０時までの時間が設定されており、夜間の時間帯として午後１０時から午前８時までの時間が設定されている。そして、昼間の時間帯における１ｋｗｈ（キロワットアワー）当たりの課金額が３０円に設定され、夜間の時間帯における１ｋｗｈ当たりの課金額が１０円に設定されている。
【００４４】
夜間の時間帯にバッテリーモジュール２５に対して充電を行うことで、低廉な電気料金で充電を行うことができる。例えば、時計部３３から電源切替制御部２６に対して供給される現在時刻の情報が午後１０時を経過したとする。電源切替制御部２６は、充電回路２３をオンする。充電回路２３がオンされることで、ＡＣ／ＤＣコンバータ２２から供給される直流電圧がバッテリーモジュール２５に対して供給され、バッテリーモジュール２５が充電される。このとき、ＡＣ／ＤＣコンバータ２２から出力された直流電圧は、電源系統切替回路２４に対しても供給され、電源系統切替回路２４によって選択される。そして、時計部３３から供給される現在時刻の情報が午前８時を経過すると、電源切替制御部２６は充電回路２３をオフする。
【００４５】
なお、電源切替制御部２６は、時間帯に応じて電源系統切替回路２４を制御してもよい。例えば、電源切替制御部２６は、午後１０時を経過したタイミングで充電回路２３をオンするとともに、電源系統切替回路２４のスイッチ２４ａをオフしてもよい。夜間の時間帯では、バッテリーモジュール２５に対して充電が行われるとともに、電源切替回路２４において、バッテリーモジュール２５からの直流電圧が選択されて出力されるようにしてもよい。そして、電源切替制御部２６は、午前８時を経過したタイミングで充電回路２３をオフするとともに、電源系統切替回路２４のスイッチ２４ａをオンしてもよい。
【００４６】
以上をまとめると、例えば、夜間の時間帯など、料金が安く設定される期間においてバッテリーモジュール２５に対する充電を行う。そして、例えば、急速冷却処理に必要とする電力をバッテリーモジュール２５から供給される電力でまかなう。このような制御により、節電効果が得られるとともに、課金される電気料金を抑制することができる。
【００４７】
バッテリーモジュール２５は、例えば、急速冷却処理で必要とされる電力をまかなうものであり、冷蔵庫１００で使用される電力の全てをまかなうものではない。したがって、バッテリーモジュール２５を小型化することができる。バッテリーモジュール２５を小型化できるのでコストの大幅な増加を避けることができる。さらに、バッテリーモジュール２５を小型化できるため、バッテリーモジュール２５を冷蔵庫１００に搭載した場合に、バッテリーモジュール２５によって冷蔵室等の庫内の容量が小さくなることを防止できる。
【００４８】
「処理の流れ」
図７は、本開示における冷蔵庫１００で行われる処理の流れの一例を示すフローチャートである。図７に示す処理は、例えば、電源切替制御部２６により行われる。なお、以下に説明する処理が開始されるときは、ＡＣ／ＤＣコンバータ２２から供給される直流電圧を使用して、冷蔵庫１００の各部が動作している。
【００４９】
ステップＳ１では、冷蔵室のドア３ａが開かれたか否かが判定される。例えば、電源切替制御部２６は、ドア開閉センサー３０から供給されるドアセンサー信号を使用して、ドア３ａが開いたか否かの判定を行う。ドア３ａは、野菜室のドア３ｂや冷蔵室のドア３ｃでもよい。ドア３ａが開いていないと判定されると、処理が再びステップＳ１に戻り、ドア３ａが開いたか否かが判定される。ドア３ａが開いたと判定されると、処理がステップＳ２に進む。
【００５０】
ステップＳ２では、冷蔵室内の温度が所定温度以上、上昇したか否かが判定される。例えば、電源制御部２６は、庫内温度センサー３１から供給される温度センサー信号を使用して、冷蔵室内の温度が所定温度以上、上昇したか否かの判定を行う。所定温度は、例えば、２度に設定される。
【００５１】
なお、ステップＳ２の判定処理は行われなくてもよいが、例えば、誤ってドア３ａが開けられてしまい、すぐにドア３ａが閉じられることもある。このような場合には、ドア３ａが開放されている時間がわずかであるため、冷蔵室内の温度は、ほぼ変化しない。ステップＳ２の判定処理を行うことで、誤ってドア３ａが開放された場合にステップＳ３以降の処理を行わないようにすることができ、処理を効率化できる。したがって、ステップＳ２の判定処理を行うことが好ましい。
【００５２】
ステップＳ２の判定処理は、時間を監視するようにしてもよい。例えば、ドアセンサー信号によりドア３ａが開いたことを認識した電源切替制御部２６は、タイマー３２を起動する。タイマー３２のカウント値が所定時間以上（例えば、２秒）経過する間に、ドア３ａが閉められたことを示すドアセンサー信号が供給された場合には、ステップＳ３以降の処理を行わないようにしてもよい。ステップＳ２において、冷蔵室内の温度が所定温度以上、上昇しない場合は、処理が終了する。冷蔵室内の温度が所定温度以上、上昇した場合は、処理がステップＳ３に進む。
【００５３】
ステップＳ３では、ドア３ａが閉められたか否かが判定される。例えば、電源切替制御部２６は、ドア開閉センサー３０から供給されるドアセンサー信号を使用して、ドア３ａが閉められた否かの判定を行う。ステップＳ３において、ドア３ａが閉められていないと判定されると処理がステップＳ３に戻る。ドア３ａが閉められたと判定されると、処理がステップＳ４に進む。
【００５４】
ステップＳ４では、冷蔵室内の温度が下降を開始したか否かが判定される。例えば、電源制御部２６は、庫内温度センサー３１から供給される温度センサー信号を使用して、冷蔵室内の温度が下降を開始したか否かの判定を行う。冷蔵室内の温度が下降を開始していない場合は、処理がステップＳ４に戻る。冷蔵室内の温度が下降を開始したと判定されると、処理がステップＳ５に進む。
【００５５】
冷蔵室内の温度が下降を開始したことから、急速冷却処理が開始したとされ、電源系統が切り替えられる。すなわち、ステップＳ５では、電源系統がＡＣ／ＤＣコンバータ２２からバッテリーモジュール２５に切り替えられる。例えば、電源切替制御部２６は、電源系統切替回路２４におけるスイッチ２４ａをオフする。
【００５６】
ステップＳ５の処理が行われることで、電源系統切替回路２４では、バッテリーモジュール２５から供給される直流電圧が選択されて出力される。出力された直流電圧がコンプレッサ用インバータ２７に供給される。供給された直流電圧がコンプレッサ用インバータ２７により交流電圧に変換される。変換された交流電圧がコンプレッサ２８に供給される。供給された交流電圧によってコンプレッサ２８のモータが高速回転することで、コンプレッサ２８が動作する。このようにして、バッテリーモジュール２５から供給された直流電圧を使用して、急速冷却処理が行われる。ステップＳ５に続いて、処理がステップＳ６に進む。
【００５７】
ステップＳ６では、タイマー３２のカウントが開始される。例えば、電源切替制御部２６は、電源をバッテリーモジュール２５に切り替えた後にタイマー３２を起動し、タイマー３２のカウントを開始させる。そして処理がステップＳ７に進む。
【００５８】
ステップＳ７では、タイマー３２のカウント値が所定時間、経過したか否かが判定される。所定時間は、急速冷却処理が行われる期間であり、例えば、３分に設定される。タイマー３２のカウント値が３分を経過していない場合は、処理がステップＳ７に戻る。タイマー３２のカウント値が３分を経過した場合は、処理がステップＳ８に進む。
【００５９】
タイマー３２のカウント値が３分を経過したことから、ステップＳ８では、急速冷却処理が終了したものとして、電源系統を商用電源２１に切り替える。例えば、電源切替制御部２６は、電源系統切替回路２４のスイッチ２４ａをオンする。ステップＳ８以降は、商用電源２１から供給される電力が使用される。商用電源２１からの交流電圧がＡＣ／ＤＣコンバータ２２によって直流電圧に変換され、変換された直流電圧が電源系統切替回路２４に供給される。
【００６０】
電源系統切替回路２４において、ＡＣ／ＤＣコンバータ２２から供給された直流電圧が選択されて出力される。出力された直流電圧がコンプレッサ用インバータ２７に対して供給される。供給された直流電圧がコンプレッサ用インバータ２７により交流電圧に変換される。変換された交流電圧がコンプレッサ２８に供給されて、コンプレッサ２８が動作する。制御部２９の制御によってコンプレッサ２８のモータ回転数が通常の冷却処理の際の回転数に制御され、通常の冷却処理が行われる。
【００６１】
なお、ステップＳ７の処理では、温度を監視するようにしてもよい。例えば、ステップＳ７において庫内の温度が予め設定された温度になった場合に、処理がステップＳ８に進むようにしてもよい。ステップＳ８の処理に続いて、処理がステップＳ９に進む。
【００６２】
ステップＳ９では、処理が終了する。例えば、電源切替制御部２６は、タイマー３２のカウントを終了させる。また、冷蔵室内の温度の監視を終了する。なお、引き続き、庫内温度センサーから出力される温度センサー信号が電源切替制御部２６に対して供給されてもよい。
【００６３】
＜変形例＞
以上、本開示の一実施形態について説明したが、本開示は、上述した実施形態に限られることなく、種々の変形が可能である。以下、変形例について説明する。
【００６４】
「第１の変形例における冷蔵庫」
始めに、第１の変形例について説明する。図８は、第１の変形例における冷蔵庫２００の構成例を示す。冷蔵庫２００の外観は、例えば、一実施形態における冷蔵庫１００の外観と同様である。なお、冷蔵庫２００において冷蔵庫１００と同様の構成については同一の符号を付し、重複した説明を省略する。
【００６５】
冷蔵庫２００の例えば、ドア３ａには起電力発生部３４が備え付けられる。起電力発生部３４は、例えば、コイルと磁石によって構成される。ドア３ａの開閉動作に応じてコイルの内部で磁石が変位し、誘導起電力が発生する。発生した誘導起電力が昇圧トランス３５に供給される。なお、起電力発生部３４は、例えば、圧電素子により構成されてもよい。ドア３ａが閉められた際の衝撃によって圧電素子が変位して起電力を発生する。発生した起電力が昇圧トランス３５に供給されるようにしてもよい。さらに、起電力発生部３４は、ドア３ａに限らず、ドア３ｂやドア３ｃに備え付けられていてもよい。
【００６６】
昇圧トランス３５は、起電力発生部３５から供給された電圧を昇圧し、昇圧した電圧を充電回路２３に供給する。昇圧トランス３５から充電回路２３に供給された電圧を使用して、バッテリーモジュール２５に対する充電が行われる。このように、例えばドア３ａの開閉動作に伴って発生する電圧を使用して充電を行うため、商用電源２１の使用を抑制することができ、節電および電気料金の節約を図ることができる。
【００６７】
「充電制御の一例」
冷蔵庫２００における充電制御の一例について説明する。ドア３ａが開放されると、ドア開閉センサー３０から電源切替制御部２６に対して、ドア３ａが開放されたことを示すドアセンサー信号が供給される。ドアセンサー信号が供給された電源切替制御部２６は、充電回路２３をオンする。充電回路２３は、ドア３ａが開放されたことに応じて発生し、昇圧された起電力を使用してバッテリーモジュール２５を充電する。さらに、ドア３ａが閉められると、ドア３ａが閉められることに応じて発生し、昇圧された起電力が充電回路２３に供給される。充電回路２３は、供給された起電力を使用してバッテリーモジュール２５を充電する。
【００６８】
ドア３ａが閉じられると、ドア３ａが閉められたことを示すドアセンサー信号が電源切替制御部２６に対して供給される。ドアセンサー信号が供給された電源切替制御部２６は、充電回路２３をオフする。このように、例えばドア３ａが開放されてから閉じられるまでの期間、電源切替制御部２６の制御によって充電回路２３がオンされる。そして、ドア３ａの開閉動作に応じて発生した起電力を使用して、バッテリーモジュール２５が充電される。なお、冷蔵庫１００と同様に、例えば、夜間の時間帯に充電回路２３がオンされてバッテリーモジュール２５に対して充電が行われるようにしてもよい。
【００６９】
「第２の変形例」
次に、第２の変形例について説明する。第２の変形例では、電源系統切替回路の構成が、一実施形態および第１の変形例における電源系統切替回路２４の構成と異なる。図９は、変形例における電源系統切替回路４４の構成を示す。電源系統切替回路４４において、ＡＣ／ＤＣコンバータ２２の入力側には、スイッチ４４ａおよびダイオード４４ｂが設けられている。バッテリーモジュール２５の入力側には、ダイオード４４ｃが設けられている。電源系統切替回路４４では、スイッチ４４ａが常に接続される。なお、ＡＣ／ＤＣコンバータ２２の入力側にダイオード４４ｂのみを設けるようにしてもよい。
【００７０】
通常は、ＡＣ／ＤＣコンバータ２２から供給される電圧が高いため、ダイオード４４ｂが導通し、ＡＣ／ＤＣコンバータ２２から供給される直流電圧が選択される。例えば、急速冷却処理がなされて消費電力量が高くなると、ＡＣ／ＤＣコンバータ２２の能力によっては、ＡＣ／ＤＣコンバータ２２から供給される電圧がドロップする。例えば、ＡＣ／ＤＣコンバータ２２が回路規模が小さい小型のＡＣ／ＤＣコンバータの場合には、電圧がドロップするおそれがある。
【００７１】
ＡＣ／ＤＣコンバータ２２から供給される電圧が低下していくと、バッテリーモジュール２５から供給される電圧がＡＣ／ＤＣコンバータ２２から供給される電圧より高くなる。すると、ダイオード４４ｃが導通して、バッテリーモジュール２５から出力された電圧が選択される。
【００７２】
このように、例えば、急速冷却処理が実行される場合に、ＡＣ／ＤＣコンバータ２２から供給される電圧がドロップした場合でも、バッテリーモジュール２５から補充的に電圧を供給でき、冷蔵庫１００の動作を継続できる。このため、ＡＣ／ＤＣコンバータ２２を小型化することができ、コストを低減できる。図４を参照して説明した、急速冷却処理のときに電力系統をバッテリーモジュール２５に切り替える制御と、図９を参照して説明した、急速冷却処理のときにバッテリーモジュール２５を補充的に使用する制御を選択できるようにしてもよい。
【００７３】
「第３の変形例」
図１０は、一実施形態における冷蔵庫１００の処理の流れの変形例を示すフローチャートである。変形例における処理の流れでは、例えば、冷蔵室のドア３ａが閉められたタイミングで電源系統がバッテリーモジュール２５側に切り替えられる。図１０におけるステップＳ１１からステップＳ１３までの処理は、図７におけるステップＳ１からステップＳ３の処理に対応している。ステップＳ１３において、ドア３ａが閉められたと判定されると処理がステップＳ１４に進む。
【００７４】
ステップＳ１４において、電源制御部２６は、電源系統切替回路２４のスイッチ２４ａをオフする。スイッチ２４ａがオフされることで、電源系統切替回路２４では、バッテリーモジュール２５から供給される直流電圧が選択されて出力される。そして、処理がステップＳ１５に進む。
【００７５】
ステップＳ１５では、庫内の温度が下降を開始したか否かが判定される。庫内の温度が下降していない場合は、処理がステップＳ１５に戻り判定処理が繰り返される。庫内の温度が下降を開始した場合は、処理がステップＳ１６に進む。ステップＳ１６からステップＳ１９までの処理は、図７におけるステップＳ６からステップＳ９に対応しているので重複した説明を省略する。
【００７６】
急速冷却処理は、例えばドア３ａの開放に応じて上昇した庫内の温度を低下させるものであり、ドア３ａが閉じられたタイミングとほぼ同時に行われることが多い。したがって、変形例における処理のように、ドア３ａが閉められたタイミングで、電源系統がバッテリーモジュール２５に切り替わるようにしてもよい。
【００７７】
「その他の変形例」
なお、上述した一実施形態等では、冷却装置の一例として冷蔵庫を挙げて説明したが、冷蔵庫に限られることはない。ワインクーラや業務用の冷蔵施設などの他の冷却装置に対しても本開示を適用できる。さらに、上述した一実施形態等では、主として冷蔵庫の冷蔵室を例にして説明したが、野菜室や冷凍室にも本開示を同様に適用できる。
【００７８】
一般に、冷蔵庫は、昼間に使用されることが多く、深夜の時間帯で使用されることは少ない。したがって、図７や図１０に示す処理が特定の時間帯に行われるようにしてもよい。
【００７９】
さらに、本開示を他の電子機器に対して適用してもよい。例えば、ファックス機能を有するコピー機において、使用頻度が少ない夜間の時間帯においてバッテリーモジュールに充電をする。そして、コピー機の消費電力が高くなり効率が悪くなる処理を、バッテリーモジュールから供給される電圧を使用して行う。消費電力が高くなる処理は、各電子機器によって異なる。例えば、閾値を適切に設定し、機器の消費電力が閾値を超えた処理を消費電力が高くなる処理としてもよい。閾値は、固定でもよく、機器の使用履歴に応じて設定されてもよい。
【００８０】
なお、一実施形態および変形例における構成および処理は、技術的矛盾が生じない範囲で適宜組み合わせることができる。
【００８１】
本開示は、以下の構成をとることもできる。
（１）
第１の電源と、
第２の電源と、
庫内を開閉するドアと、
前記ドアが開かれ、前記開かれたドアが閉じられたタイミングの近傍で、電源を前記第１の電源から前記第２の電源に切り替える電源切替制御部とを備える冷却装置。
（２）
前記電源切替制御部は、前記ドアが閉じられたタイミングで、前記電源を前記第１の電源から前記第２の電源に切り替える（１）に記載の冷却装置。
（３）
前記電源切替制御部は、前記ドアが閉じられてから前記庫内温度が下降し始めたタイミングで、前記電源を前記第１の電源から前記第２の電源に切り替える（１）に記載の冷却装置。
（４）
前記電源切替制御部は、前記ドアが開かれたことによって前記庫内の温度が所定温度以上、上昇した場合に、前記ドアが閉じられたタイミングの近傍で、前記電源を前記第１の電源から前記第２の電源に切り替える（１）乃至（３）のいずれか１に記載の冷却装置。
（５）
第１の電源と、
第２の電源と、
庫内の温度が下降をし始めるタイミングの近傍で、電源を前記第１の電源から前記第２の電源に切り替える電源切替制御部とを備える冷却装置。
（６）
前記電源切替制御部は、所定時間が経過した後に前記電源を前記第２の電源から前記第１の電源に切り替える（１）乃至（５）のいずれか１に記載の冷却装置。
（７）
前記第２の電源が充電可能な蓄電装置であり、前記電源切替制御部によって前記蓄電装置に対する充電が制御される（１）乃至（６）のいずれか１に記載の冷却装置。
（８）
第１の電源と、
第２の電源と、
庫内の温度が下降をし始めるタイミングの近傍で、電源を前記第１の電源から前記第２の電源に切り替える冷却装置における制御方法。
【符号の説明】
【００８２】
３ａ、３ｂ、３ｃ・・・ドア
６、２８・・・コンプレッサ
２１・・・商用電源
２２・・・ＡＣ／ＤＣコンバータ
２３・・・充電回路
２４・・・電源系統切替回路
２５・・・バッテリーモジュール
２６・・・電源系統切替制御部
１００、２００・・・冷蔵庫
【図１】
2012220144.tif 000003
【図２】
2012220144.tif 000004
【図３】
2012220144.tif 000005
【図４】
2012220144.tif 000006
【図５】
2012220144.tif 000007
【図６】
2012220144.tif 000008
【図７】
2012220144.tif 000009
【図８】
2012220144.tif 000010
【図９】
2012220144.tif 000011
【図１０】
2012220144.tif 000012